(57)【要約】【課題】ラインメモリを用い、様々な特性のデジタル表示装置で良好な画面表示が可能な安価なデジタルテレビを提供する。【解決手段】入力されたデジタルビデオ信号が供給されるラインメモリを有し、該ラインメモリの書込みおよび読出し制御を行うと共に、ラインメモリから読出した信号に対して垂直および水平方向に任意の信号拡大を行う映像信号処理部１２と、入力されたデジタルビデオ信号の水平および垂直の同期信号の周波数を計測する周波数計測部１１と、映像信号処理部１２の動作を制御する制御部１３と、映像信号処理部１２から出力される画像を表示するデジタル表示装置１４を備えたデジタルテレビであって、制御１３は、周波数計測部１１による計測結果とデジタル表示装置１４の特性に応じて映像信号処理部１２における垂直方向の拡大率を制御する。【選択図】図１
2007335956.tif 000002
【特許請求の範囲】
【請求項１】
入力されたデジタルビデオ信号が供給されるラインメモリを有し、前記ラインメモリの書込みおよび読出し制御を行うと共に、前記ラインメモリから読出した信号に対して垂直および水平方向に任意の信号拡大を行う映像信号処理手段と、入力されたデジタルビデオ信号の水平および垂直の同期信号の周波数を計測する周波数計測手段と、前記映像信号処理手段の動作を制御する制御手段と、前記映像信号処理手段から出力される画像を表示するデジタル表示装置とを備えたデジタルテレビであって、
前記制御手段は、前記周波数計測手段の計測結果と前記デジタル表示装置の特性にあわせて前記映像信号処理手段における垂直方向の拡大率を制御することを特徴とするデジタルテレビ。
【請求項２】
前記デジタル表示装置の特性に対応する垂直周期補正値を格納する記憶手段を備え、
前記制御手段部は、前記記憶手段に格納されている垂直周期補正値を読出して、読出した垂直周期補正値を用いて前記映像信号処理手段の動作を制御することを特徴とする請求項１に記載のデジタルテレビ。
【発明の詳細な説明】
【技術分野】
【０００１】
この発明は、様々な特性のデジタル表示装置を用いて良好な画面表示が可能なデジタルテレビに関する。
【背景技術】
【０００２】
ラインメモリを用いて、入力ビデオ信号を垂直方向に任意の拡大を行う映像処理回路を備えた表示装置としては、例えば、特開２００１−１６６７３３号公報（特許文献１）に記載されたような表示装置（ビデオ信号補間機能を有する表示装置）がある。
特許文献１に記載されている表示装置の映像処理回路はラインメモリのみで構成できるため、デジタルテレビを安価に構成することが出来る。
【０００３】
しかしながら、このような映像処理回路は、ラインメモリへの書き込み開始を示す水平周波数とラインメモリを読み出す以降のクロックおよび垂直の拡大率によって、出力するビデオ信号の水平周期が決まってしまう。
また、出力垂直周期（出力するビデオ信号の垂直周期）は、入力するビデオ信号の垂直周期と同じである必要があるので、あるフレームの最終ラインは、次のフレームの垂直周期によってリセットされ、前ラインまでの水平周期よりも短くなってしまう。
【０００４】
一方、近年のデジタル表示装置（デジタルテレビ）では、ＲＧＢ映像データ、クロック、映像有効期間信号で表示動作を行うものが多い。
このようなデジタル表示装置では、垂直ブランキング期間に前ラインまでの水平周期を再生する。
しかし、この再生水平周期と次のフレーム開始のタイミングが重なると、次のフレームの表示がずれるという問題を持ったものがある。
前記既知の映像処理回路（即ち、特許文献１に記載のビデオ信号補間機能を有する表示装置に用いられる映像処理回路）と前記問題（即ち、再生水平周期と次のフレーム開始のタイミングが重なると次のフレームの表示がずれるという問題）を持ったデジタル表示装置を組み合わせて使用すると、映像が垂直方向に揺れて表示されるという問題が起きる。
【０００５】
一例として、ＮＴＳＣビデオ信号を1366×768ドットのデジタル表示装置に表示する場合について説明する。
ＮＴＳＣビデオ信号の水平周波数＝15.734KHz、垂直周波数＝59.94Hz、ＮＴＳＣビデオ信号の垂直解像度＝240ラインであるので、垂直方向のオーバースキャンを５％とし、垂直入力＝240×0.95＝228ラインとする。
従って、垂直拡大率＝228（垂直入力）／768（表示垂直） ＝ 0.2969、ラインメモリを読み出す以降のクロック（出力クロック） ＝ 82MHzとすると、
82MHzのクロックに同期して出力される映像有効期間信号(ＤＥとも略される)の水平周期Ｈｔは、下記に示したとおり、ラインメモリへの書き込み開始周タイミングを決めるＮＴＳＣ水平周波数、ラインメモリを読み出すクロックおよび垂直の拡大率によって一意に決まる。
Ｈｔ ＝ ラインメモリを読み出すクロック×垂直拡大率／ＮＴＳＣ水平周波数
＝ 82M×0.2969／15.734K
＝ 1547.3370ドット（以降１ドットの周期は1／82MHz）
【０００６】
同じく垂直周期Ｖｔは、垂直周期Ｖｔ ＝ 82M／59.94 ＝ 1368034ドットである。
従って、デジタル表示装置への映像処理回路の出力は、
クロック ＝ 82MHz
映像有効期間信号（ＤＥ） ＝ 水平周期中の有効画素・垂直有効ライン
＝ 1366ドット・768ライン
である。
ここで、
DEの水平周期Ｈｔ ＝ １５４７ドット
（ただし、１／小数点以下 ＝ １／0.3370ラインに１度1548ドット）
垂直周期Ｖｔ（ｎフレームＤＥ開始〜ｎ＋１フレームＤＥ開始） ＝ 1368034ドット
である。
【０００７】
一方、使用するデジタル表示装置として、下記の問題特性を持つものを例に説明する。
図５は、従来のデジタル表示装置の特徴的な動作例を説明するためのタイミングチャートであり、図１（ａ）は正常動作時の場合、図１（ｂ）は問題発生時の場合のタイミングを示している。
図５（ａ）に示すように、正常動作時においては、入力された映像有効期間信号(入力ＤＥ)の立ち上がりで内部映像有効期間信号（内部ＤＥ）の生成を開始し、入力ＤＥの立下りで内部ＤＥの生成を終了する。
Nフレームの最終部にある768ライン目のＤＥ立ち下がりから2000ドットの期間、内部DEの立ち上がりが入力されない。
【０００８】
従って、内部ドライブのために、内部で生成する水平同期信号に基づいて所定数ラインの水平周期を再生する。
そして、n+1フレームのＤＥが入力されると、内部DEの生成を開始する。
ここで、図５（ｂ）に示すように、内部で生成される水平周期信号とn+1フレームのＤＥの立ち上がりが重なると、１ライン目の内部ＤＥの生成が開始されず、２ライン目から内部ＤＥの生成が始まってしまう。
これは、デジタル表示装置の画面上で言うと、映像表示が１ライン上にずれて表示されることになる。
【０００９】
図６は、このような従来のデジタル表示装置にＮＴＳＣビデオ信号を表示する場合の動作を説明するためのタイミングチャートであり、図６（ａ）は正常動作時、図６（ｂ）および図６（ｃ）は問題発生時の場合のタイミングを示している。
図６のタイミングチャートに基づいて、従来のデジタル表示装置にＮＴＳＣビデオ信号を表示する際の動作について説明する。
768ライン目水平周期 ＝ 再生水平周期 ＝ 1548ドットとすると、
垂直ブランキング期間 ＝ 垂直周期−水平周期×768＋768ライン目水平周期−1366
＝ 1368034−1547.3370×768＋1548−1366
＝ 179861ドット
である。
従って、デジタル表示装置内での再生水平周期数Ｈnrは、
Ｈn ＝ （垂直ブランキング期間−2000）／再生水平周期
＝ （179861−2000）／1548
＝ 14.8973
となり、図６（ａ）に示すように、入力されるＮＴＳＣビデオ信号の垂直周波数が59.94Hzで安定していれば、水平周期信号とn+1フレームのＤＥの立ち上がりは重ならず、問題は起きない。
【００１０】
ところが、ＮＴＳＣビデオ信号の垂直周波数は59.94Hzである保証はなく、また、その周期も安定しておらず、例えば、１μSec程度の揺れを持っているものである。
従って、通常のテレビでは垂直周波数が59.94Hz±2Hz程度の範囲にあれば良好に映像を表示できる仕様になっている。
しかしながら、前述したように、内部で生成される水平周期信号とn+1フレームのＤＥの立ち上がりが重なると、１ライン目の内部ＤＥの生成が開始されず、２ライン目から内部ＤＥの生成が始まり、デジタル表示装置の画面上で映像表示が１ライン上にずれて表示されるという問題が起きる。
【００１１】
図６（ｂ）は、問題が発生する垂直周波数が条件１の場合の状態を、図６（ｃ）は、問題が発生する垂直周波数が条件２の場合の状態を示している。
ここで、問題が起きる条件の垂直周波数は、
垂直周波数（条件１）＝82M／（115×再生水平周期＋2000＋1366＋水平周期×767）
＝82M／（115×1548＋2000＋1366＋1547.3370×767）
＝59.933Hz
垂直周波数（条件２）＝82M／（114×1548＋2000＋1366＋1547.3370×767）
＝60.001Hz
であり、いずれの条件の場合も、垂直周波数は59.94Hz±2Hz以内である。
入力ビデオ信号の垂直周波数が上記条件１または条件２の周辺であった場合、垂直周期の揺れもあるために、問題の起きる垂直周波数条件（即ち、上記条件１あるいは条件２）に一致、不一致を繰り返し、表示される画面に垂直の揺れとなって現れる。
つまり、垂直周波数が59.94Hz±2Hz以内であるにもかかわらず上述したような問題が発生する。
【００１２】
映像処理回路としてフレームメモリを使用しているものを用いれば、ＤＥの水平および垂直周期を任意で選べるためこのような問題はおきない。
しかし、フレームメモリを使用すると回路規模が大きくなり、高価な構成になる。
また、入力周波数と出力周波数が同期していないのでフレーム欠けをおこし、テレビとしては好ましくない。
逆に、前記既知の映像処理装置（即ち、特許文献１に記載のビデオ信号補間機能を有する表示装置）のように、像映像処理回路としてラインメモリを使用しているものを用いれば、回路規模は小さくなり、安価に構成できる。
しかし、前記のような問題を持つデジタル表示装置には使用できず、使用できるデジタル表示装置が制限されるという問題がある。
【特許文献１】特開２００１−１６６７３３号公報
【発明の開示】
【発明が解決しようとする課題】
【００１３】
本発明は、様々な特性のデジタル表示装置を用いた場合であっても、表示される映像が垂直方向にずれることなく、また、画面の揺れのない良好な画面表示を可能とし、かつ、フレームメモリを使用する場合よりも回路規模が小さく、安価なデジタルテレビを提供することを目的とする。
【課題を解決するための手段】
【００１４】
本発明に係わるデジタルテレビは、入力されたデジタルビデオ信号が供給されるラインメモリを有し、前記ラインメモリの書込みおよび読出し制御を行うと共に、前記ラインメモリから読出した信号に対して垂直および水平方向に任意の信号拡大を行う映像信号処理手段と、入力されたデジタルビデオ信号の水平および垂直の同期信号の周波数を計測する周波数計測手段と、前記映像信号処理手段の動作を制御する制御手段と、前記映像信号処理手段から出力される画像を表示するデジタル表示装置とを備えたデジタルテレビであって、前記制御手段は、前記周波数計測手段の計測結果と前記デジタル表示装置の特性にあわせて前記映像信号処理手段における垂直方向の拡大率を制御するものである。
【発明の効果】
【００１５】
本発明によれば、映像信号処理手段にはラインメモリを使用し、かつデジタル表示装置の特性にあわせて映像信号処理手段における垂直方向の拡大率を制御するので、表示される映像が垂直方向にずれることなく、また表示画面の揺れのない良好な画面の表示が可能となり、かつ、フレームメモリを使用する場合よりも回路規模が小さくなり、安価なデジタルテレビを提供できる。
【発明を実施するための最良の形態】
【００１６】
以下、図面に基づいて、本発明の一実施の形態について説明する。
なお、各図間において、同一符合は、同一あるいは相当のものであることを表す。
実施の形態１．
図１は、この発明の実施の形態１に係わるデジタルテレビの概略構成を示すブロック図である。
図に示すように、本実施の形態によるデジタルテレビは、周波数計測部（周波数計測回路）１１、映像信号処理部（映像信号処理回路）１２、制御部１３およびデジタル表示装置１４を備えている。
そして、このデジタルテレビは、図示しない供給手段からビデオデータやクロックからなるデジタルビデオ信号Ｖｄとデジタルビデオ信号の水平および垂直の同期信号Ｓｙの供給を受ける。
なお、デジタル表示装置１４は、液晶表示パネルを用いた液晶表示モジュールであるとして、以降の説明を行うこととする。
【００１７】
周波数計測部１１は、デジタルビデオ信号の水平および垂直の同期信号Ｓｙを受けて、入力ビデオ信号の水平周波数および垂直周波数を計測する。
映像信号処理部１２は、水平および垂直の同期信号Ｓｙおよびデジタルビデオ信号Ｖｄを受けて、映像データ（デジタルビデオ信号）のラインメモリ（図示なし）への書き込みを行う。
なお、ラインメモリは、映像信号処理部１２の内部あるいは外部のいずれに配置されていてもよい。
また、読み出しクロックに従って、ラインメモリの読出出力から垂直および水平方向に、制御部１３より指定される任意の拡大を行う。
このラインメモリからの読み出しクロックは、以降の画像拡大等の映像処理クロック、およびデジタル表示装置（液晶表示モジュール）１４へのクロック出力Ｓｃと等しい。
【００１８】
更に、液晶表示モジュール１４の解像度に拡大された映像デジタルデータ（映像信号）Ｖｐと、映像有効期間信号Ｓｅ（前述の背景技術の項で示したＤＥに相当）を出力する。
該映像有効期間信号Ｓｅの水平周期は、前記Ｓｙの水平周期、クロック出力Ｓｃ、垂直拡大率によって決まり、垂直周期は、前記Ｓｙの垂直周期に等しい。
液晶表示モジュール14は、上記クロックＳｃと、映像デジタルデータ映像信号）Ｖｐと、映像有効期間信号Ｓｅに従って、液晶表示パネル上に画像を表示する。
制御部１３は、例えばＣＰＵで構成され、制御信号Ｓcontによって、周波数計測部１１での周波数計測結果の受信を行い、前記Ｓｙ、Ｖｄの種類（例えば、ＮＴＳＣ）の判定を行う。
また、前記Ｓｙ、Ｖｄの種類（例えば、ＮＴＳＣ）の判定と周波数計測結果に従って、映像信号処理部１２に対する垂直および水平方向の拡大率の制御等を行う。
【００１９】
本実施の形態で、制御部１３は、供給される水平および垂直の同期信号Ｓｙと液晶表示モジュール１４の特性にあわせ、映像信号処理部１２に指定する垂直方向の拡大率を決定する。
例えば、供給されるＶｄ、ＳｙがＮＴＳＣビデオ信号であり、液晶表示モジュール１４が前述の背景技術の項で述べたような問題特性を持っている場合の動作は、以下のように行われる。
周波数計測部１１で計測される周波数は、
ＮＴＳＣ水平周波数 ＝ 15.734kHz    垂直周波数 ＝ 59.94Hz
になる。
【００２０】
制御部１３は、周波数計測結果を受信することにより、供給されている信号がＮＴＳＣであることを認識する。
ＮＴＳＣ垂直解像度 ＝ 240ラインより、オーバースキャン５％として、
垂直入力 ＝ 240×0.95 ＝ 228ライン分を表示する場合、
拡大率目標値Vz1は、
Vz1 = 228（垂直入力）／768（モジュール垂直） ＝ 0.2969
となる。
図２は、映像信号処理部１２から出力される出力信号のタイミングを示すタイミングチャートである。
図２を参照しながら映像信号処理部１２における信号（水平周期、映像有効期間信号、垂直ブランキング期間など）のタイミングについて説明する。
【００２１】
ラインメモリを読み出すクロック（＝出力クロックＳｃ）周波数 ＝ 82MHz
とすると、
Vz1によって映像処理部１２から出力されるＳｅの水平周期Htは、
Ht ＝ ラインメモリを読み出すクロック周波数×Vz1／ＮＴＳＣ水平周波数
＝ 82M×0.2969／15.734k
＝ 1547.3370ドット  （以降１ドットの周期は1／82MHz）
また、映像信号処理部１２から出力される映像有効期間信号Ｓｅの垂直周期Vt1は、
Vt1 ＝ 82M／59.94 ＝ 1368034ドット
となる。
【００２２】
ここで、この液晶表示モジュールの問題に合わせた垂直周期補正値Vhを600ドットとすると、
目標垂直周期Vt2 ＝ Vt1＋Vh ＝ 1368034＋600 ＝ 1368634ドット
となる。
このVt2中の最終ラインに水平周期の端数が出ないように水平周期を決定する。
Vt2中の最終ラインの概算ドット数Hlは、
Hl ＝ （Vt2／Ht整数部）のあまり ＝ 1368634／1547のあまり ＝ 1086ドット
となる。
Vt2中のライン数Vnは、
Vn ＝ Vt2／Ht整数部 ＝ 1368634／1547 ＝ 884ライン
となる。
従って、映像信号処理部１２から出力されるべきＳｅの水平周期の整数部Htiは、
Hti ＝ （Ht整数部＋ Hl／Vn)整数部 ＝ (1547＋1086／884)整数部 ＝ 1548ドット
となる。
【００２３】
Vt2中の最終ラインの概算ドット数Hlの再計算値は、
Hl ＝ （Vt2／Hti）のあまり ＝ 1368634／1548のあまり ＝ 202ドット
となる。
Vt2中のライン数Vnの再計算値は、
Vn ＝ （Vt2／Hti）整数部 ＝ 1368634/1548＝ 884ライン
となる。
従って、映像信号処理部１２から出力されるべきＳｅの水平周期の少数部Htdは、
Htd ＝ Hl／Vn ＝ 202／884 ＝ 0.2285
となる。
【００２４】
つまり、映像信号処理部１２から出力されるべきＳｅの水平周期Ht2は、
Ht2 ＝ Hti＋Htd ＝ 1548＋0.2285 ＝ 1548.2285ドット
となる。
従って、制御部１３が決定する拡大率Vz2は、
Vz2 ＝ NTSC水平周波数×Ht2／ラインメモリを読み出すクロック
＝ 15.734k×1548.2285/82M
= 0.29707
となる。
制御部１３は、この拡大率Vz2を映像信号処理部１２に指定する。
【００２５】
図２は、上記作用によって映像信号処理部１２から出力される映像有効期間信号Ｓｅのタイミングを示している。
ここで、
Ｓｅ水平周期 ＝ 1548ドット
（ただし、１／小数点以下 ＝ 1／0.2285ラインに1度1549ドット）
Ｓｅ垂直周期 ＝ 1368034ドット
768ライン目水平周期 ＝ 再生水平周期 ＝ 1548
とすると、
垂直ブランキング期間 ＝ 垂直周期−水平周期×768＋最終ライン水平周期−1366  
＝ 1368034−1548.2285×768＋1548−1366
＝ 179176ドット
となる。
従って、液晶表示モジュール１４内での再生水平ライン数Hnrは、
Hnr ＝ （垂直ブランキング期間−2000）／再生水平周期
＝ （179176−2000）／1548
＝ 114.4547
となり、垂直周波数=59.94Hz周辺で前述のような問題は起きない。
【００２６】
また、最終ラインのドット数が常に水平周期−600（垂直周期補正値Vh）になるように動作するため、幅広い垂直周波数Ｓｃで前述のような問題は起きない。
垂直周波数 ＝ 59.94±2Hzで取り得る垂直ブランキング期間のライン数VbLは、
Ａ≦ VbL ≦ Ｂ
ここで、
Ａは、86ライン ＝ （（82M／（59.94＋2））−1550×768＋1550−1366）／1550 の
小数部切り捨て、Ｂは、（（82M／（59.94−2））−1547×768＋1547−1366）／1547 の少数部切り上げ ＝ 147ラインである。
【００２７】
図３は、本実施の形態による効果を説明するためのものである。図に示すように、
水平周期Htの取りうる値は、1547 ≦ Ht ＜ 1550ドット
垂直ブランキング期間 ＝ Htｘ(VbL)＋Ht−600＋Ht−1366 
＝ Htｘ(VbL)＋2Ht−1966ドット
液晶表示モジュール内での再生水平ラインHtrの取りうる値は、
Ht-1 ＜ Htr ＜ Ht+1ドットのため、
Htr最終ラインのドット数Hnrdは、
3Ht−3966−(VbL−1) ＜ Hnrd ＜ 3Ht−3966＋（VbL−1）ドット
となり、VbL、Htrが上記の範囲で次フィールドの1ライン目と重なることはない。
従って、垂直周波数 ＝ 59.94±2Hzで前述のような問題は起きないことになる。
上記のとおり、1547 ≦ Ht ＜ 1550ドットを取るために、実際に表示されるＮＴＳＣビデオの垂直ライン数Vaは、
227.9ライン ＝ 768×15.734k×1547／82M ≦ Va ＜ 768×15.734k×1550／82M
＝ 228.4ライン
となり、目標の228ラインに対して大差なく問題にならない。
【００２８】
以上説明したように、本実施の形態におけるデシタルテレビは、入力されたデジタルビデオ信号が供給されるラインメモリを有し、ラインメモリの書込みおよび読出し制御を行うと共に、ラインメモリから読出した信号に対して垂直および水平方向に任意の信号拡大を行う映像信号処理手段（映像信号処理部１２）と、入力されたデジタルビデオ信号の水平および垂直の同期信号の周波数を計測する周波数計測手段（周波数計測部１１）と、映像信号処理手段（映像信号処理部１２）の動作を制御する制御手段（制御部１３）と、映像信号処理手段（映像信号処理部１２）から出力される画像を表示するデジタル表示装置１４とを備えたデジタルテレビであって、
制御手段（制御部１３）は、周波数計測手段（周波数計測部１１）の計測結果とデジタル表示装置１４の特性にあわせて映像信号処理手段（映像信号処理部１２）における垂直方向の拡大率を制御する。
従って、本実施の形態におけるデシタルテレビは、表示される映像が垂直方向にずれることなく、また表示画面の揺れのない良好な画面の表示が可能となり、かつ、フレームメモリを使用する場合よりも回路規模が小さく、安価になる。
【００２９】
実施の形態２．
図４は、実施の形態１に係わるデジタルテレビの概略構成を示すブロック図である。
本実施の形態では、実施の形態１のデジタルテレビの構成に対して、更に、記憶部１５を設けている。
記憶部１５は、例えば不揮発性メモリで構成され、液晶表示モジュール１４にあわせた前述の垂直周期補正値Vhを格納する。
Vhは、使用する液晶表示モジュールの問題特性にあわせて書き換える。
制御部１３はこのVhを読み出し、前述の動作を行うことによって、様々な問題特性を持った液晶表示モジュールで良好な表示を得ることが出来る。
【００３０】
以上説明したように、本実施の形態におけるデシタルテレビは、デジタル表示装置１４の特性に対応する垂直周期補正値を格納する記憶手段（記憶部１５）を備え、制御手段（制御部１３）は、記憶手段（（記憶部１５））に格納されている垂直周期補正値を読出して、読出した垂直周期補正値を用いて映像信号処理手段（映像信号処理部１２）の動作を制御する。
従って、様々な特性を持ったデジタル表示装置１４に対応して、表示映像が垂直方向にずれることなく、また表示画面の揺れのない良好な映像表示を容易に得ることが出来る。
【００３１】
ここで、仮に同様の効果を液晶モジュール側で得るためには、例えば、図５の液晶モジュールに入力する映像有効期間信号（表示装置入力）と、液晶モジュール内部で映像有効期間信号（表示装置入力）の無信号期間に液晶モジュール駆動のために再生する水平周期信号が図５（ｂ）のタイミングになった場合に、両信号のうちどちらか、即ち、映像有効期間信号（表示装置入力）または水平周期信号（内部で生成）のうちどちらかを優先させる様に設定すればよい。
例えば、映像有効期間信号（表示装置入力）を有線させた場合は、液晶モジュールに入力する映像有効期間信号（表示装置入力）によるセットが優先され、図５（ｂ）の点線で示した様な映像有効期間信号（内部で生成）になり、表示映像が垂直方向にずれることはない。
【００３２】
しかしながら、このような液晶モジュール側の機能について、開発の初期段階において詳細な仕様を知ることは、液晶モジュールを他社から供給されて設計しているようなセットメーカでは難しい。
また、開発途中の段階で液晶モジュールを変更する必要性が生じた場合や複数メーカの液晶モジュールをコンパチブルで使用する設計をする場合などでは、本発明では、液晶モジュールに依存することなく液晶テレビ側回路単独で対応することが可能であり、その点において効果がある。
更に、仮に液晶モジュール側に上記機能を有していたとしても、本発明を搭載した液晶テレビの表示にはなんら影響はなく、不具合も発生しない。
【００３３】
なお、この発明は、ＮＴＳＣビデオ信号に限らず、ＰＡＬ、５２５Ｉ、５２５Ｐ、７５０Ｐ、１１２５Ｉ方式のビデオ信号等にも幅広く適応可能である。
また、この発明は、液晶表示モジュールに限らず、ＰＤＰ、ＥＬなどのデジタル表示装置に広く適応可能である。
【産業上の利用可能性】
【００３４】
この発明は、様々な特性のデジタル表示装置を用いた場合であっても、表示映像が垂直方向にずれることなく、また、表示画面の揺れのない良好な画面の表示が可能となり、かつ、フレームメモリを使用する場合よりも回路規模が小さく安価になるデジタルテレビの実現に有用である。
【図面の簡単な説明】
【００３５】
【図１】実施の形態１に係わるデジタルテレビの概略構成を示すブロック図である。
【図２】実施の形態１における映像信号処理部から出力される出力信号のタイミングを示すタイミングチャートである。
【図３】本実施の形態１の発明による効果を説明するための図である。
【図４】実施の形態２に係わるデジタルテレビの概略構成を示すブロック図である。
【図５】従来のデジタル表示装置における特徴的動作例を説明するためのタイミングチャートである。
【図６】従来のデジタル表示装置にＮＴＳＣビデオ信号を表示する場合の動作を説明するためのタイミングチャートである。
【符号の説明】
【００３６】
１１  周波数計測部（周波数計測手段）
１２  映像信号処理部（映像信号処理手段）
１３  制御部（制御手段）
１４  デジタル表示装置
１５  記憶部（記憶手段）
【図１】
2007335956.tif 000003
【図２】
2007335956.tif 000004
【図３】
2007335956.tif 000005
【図４】
2007335956.tif 000006
【図５】
2007335956.tif 000007
【図６】
2007335956.tif 000008